(57)【特許請求の範囲】
【請求項１】
座と、座を支持する脚構造体と、この脚構造体に固定して設けたキャスタ取付軸の周りに転動可能であり着座時には設置床面から離間した位置にあるキャスタとを有するものであって、前記脚構造体の前脚と、この前脚の下端に接続し前端部が側面視湾曲し前脚に向かって上方に伸びている脚ベースとが一体に形成され、前記脚ベースの前端部に前記キャスタ取付軸を固定して設けているとともに、着座時に少なくとも前記脚構造体の前端から前記キャスタ取付軸までの前後方向位置に対応する部位の下面が設置床面から上方に離間していることを特徴とする椅子。
【請求項２】
同一の構造を有する他の椅子、又は前記他の椅子からキャスタを除いた構造を有する他の椅子にスタッキングした際に、前記他の椅子に前記キャスタが干渉しない請求項１記載の椅子。
【請求項３】
前記脚構造体のキャスタよりも後方の部位に、着座時に優先して接地する接地体をキャスタと別体に設けている請求項１又は２記載の椅子。
【請求項４】
座の後上方に設けた背凭れと、この背凭れの後方に設けた把手とを備えている請求項１、２又は３記載の椅子。
【請求項５】
前記把手が、前記背凭れを支持する背支持フレームの上端に設けられている請求項４記載の椅子。
【請求項６】
前記把手が、その内部に上下方向に貫通する把持孔を有する請求項４又は５記載の椅子。
【請求項７】
前記脚構造体の前記キャスタ取付軸を取り付けるべき部位に、その内部に前記キャスタ取付軸を収納可能な段押し部を設けている請求項１、２、３、４、５又は６記載の椅子。
【発明の詳細な説明】
【技術分野】
【０００１】
本発明は、学校等に用いられ、キャスタを備えた椅子に関する。
【背景技術】
【０００２】
従来、学校等に用いられる椅子において、移動させる際の便を図るべくキャスタを設けているものが種々考えられている。従来のこの種の椅子の多くは、座を支持する脚構造体の前端にキャスタを設け、キャスタが常時接地している構成を採用している。そして、移動を行う際には椅子の一端部を持ち上げる等の操作によりキャスタのみが接地している状態とするようにしている（例えば、特許文献１を参照）。
【０００３】
しかして、このような態様の椅子においては、従来は脚構造体の前端にキャスタを設けるべく、キャスタの回動中心となる軸部材と脚構造体との間にブラケットを設けられている。そのため、脚構造体の前端部の構造が複雑となること、また、着座時に前記ブラケットが邪魔に感じられることといった不具合が存在する。また、この不具合を解消すべく脚構造体とブラケットとの接合部位を細いものにすると、キャスタの使用時においてこの接合部位が破損しやすくなる等の別の不具合が発生する。
【先行技術文献】
【特許文献】
【０００４】
【特許文献１】特許第２８４０７０３号公報
【発明の概要】
【発明が解決しようとする課題】
【０００５】
本発明は以上の点に着目し、キャスタを有する椅子において、キャスタの使用時における強度を確保しつつ構造の単純化を図ることを目的とする。
【課題を解決するための手段】
【０００６】
すなわち本発明に係る椅子は、座と、座を支持する脚構造体と、この脚構造体に固定して設けたキャスタ取付軸の周りに転動可能であり着座時には床面から離間した位置にあるキャスタとを有するものであって、前記脚構造体の前脚と、この前脚の下端に接続し前端部が側面視湾曲し前脚に向かって上方に伸びている脚ベースとが一体に形成され、前記脚ベースの前端部に前記キャスタ取付軸を固定して設けているとともに、着座時に少なくとも前記脚構造体の前端から前記キャスタ取付軸までの前後方向位置に対応する部位の下面が設置床面から上方に離間していることを特徴とする。
【０００７】
このようなものであれば、キャスタ取付軸を脚構造体に直接固定して取り付けているので、構造が極めて簡単なものとなり、また、脚構造体とキャスタとの間にはキャスタ取付軸のみが介在していることとなるので、着座時に邪魔に感じられる不具合の発生を抑制できる。さらに、キャスタ取付軸を脚構造体に直接固定して取り付けているので接合箇所が少なく、しかも着座時にはキャスタを床面から離間させているので着座時にはキャスタ及びキャスタ取付軸は荷重を受けることもないので、使用時の強度を確保できる。
【０００８】
このような椅子の収納に要するスペースを低減できるようにするための構成として、同一の構造を有する他の椅子、又は前記他の椅子からキャスタを除いた構造を有する他の椅子にスタッキングした際に、前記他の椅子に前記キャスタが干渉しないものが挙げられる。
【０００９】
着座時にはキャスタを床面から離間させつつ、前方に椅子を傾けることによりキャスタを利用して椅子を移動できるようにする構成を容易に実現するための構成として、前記脚構造体のキャスタよりも後方の部位に、着座時に優先して接地する接地体をキャスタと別体に設けているものが挙げられる。
【００１０】
キャスタを利用してこの椅子を移動させる際の便を図るための構成の一つとして、座の後上方に設けた背凭れと、この背凭れの後方に設けた把手とを備えているものが挙げられる。
【００１１】
特に、前記把手が、前記背凭れを支持する背支持フレームの上端に設けられているものであれば、このような把手を上方から把持した際に邪魔となる構造物がなく、このような把手をより自然に把持することができる。
【００１２】
また、前記把手が、その内部に上下方向に貫通する把持孔を有するものであれば、この把持孔の上方から手を通して把持する態様及びこの把持孔下方から手を通して把持する態様の双方をとることができるので、利用者の身長に関わらずこのような椅子をキャスタを利用して容易に移動させることができる。
【００１３】
そして、キャスタの脚構造体への取付部位の見栄えを整えるための態様として、前記脚構造体の前記キャスタ取付軸を取り付けるべき部位に、その内部に前記キャスタ取付軸を収納可能な段押し部を設けているものが挙げられる。
【発明の効果】
【００１４】
本発明によれば、キャスタを有する椅子において、キャスタの使用時における強度を確保しつつ構造の単純化を図ることができる。
【図面の簡単な説明】
【００１５】
【図１】本発明の一実施形態に係る椅子を示す正面図。
【図２】同実施形態に係る椅子を示す側面図。
【図３】同実施形態に係る椅子を示す平面図。
【図４】同実施形態に係る椅子のスタッキング態様を示す斜視図。
【図５】同実施形態に係る椅子のスタッキング態様を示す斜視図。
【図６】同実施形態に係る椅子のキャスタ支持軸の取付態様を示す図。
【図７】同実施形態に係る椅子のキャスタの取付態様を示す分解斜視図。
【発明を実施するための形態】
【００１６】
本発明の一実施形態を、図１〜図７を参照しつつ以下に述べる。
【００１７】
本実施形態に係る椅子１は、図１〜図５に示すように、座２と、座２を支持する脚構造体３と、座２の後上方に設けた背凭れ４と、この背凭れ４を支持する背支持フレーム５と、前記背凭れ４の後方に設けた把手６と、前記脚構造体３の前端よりも後方の部位に固定して設けたキャスタ取付軸７の周りに転動可能であり着座時には設置床面から離間した位置にあるキャスタ８とを有する。なお、図１〜図３において、座２及び背凭れ４は想像線により示している。
【００１８】
より具体的には、前記図１〜図５に示すように、前記座２は板状をなしており、座面が前方に向けて下方に向かう傾斜を有する。そして、この座２は、前記脚構造体３に下方から支持されている。
【００１９】
前記脚構造体３は、前記図１〜図５に示すように、座２の下面に取り付けられて該座２の下面を支持する座支持部３１と、この座支持部３１から垂下して設けられ左右に対をなす前脚３２及び後脚３３と、前脚３２の下端と後脚３３の下端とを接続する脚ベース３４と、この脚ベース３４の下面に取り付けられる接地体３５と、前記座支持部３１の下面を被覆する被覆板３６と、前記座支持部３１の上方に配され上方に座２が配される座受板３７とを備えている。前記座支持部３１は、左右１対に設けられている。左側の座支持部３１は、座２の平面視中央の下方から左前方及び左後方に伸びている。同様に、右側の座支持部３１は、座２の平面視中央の下方から右前方及び右後方に伸びている。ここで、座支持部３１の奥行き方向中央部の下方には、前記被覆板３６が配されている。この被覆板３６は、本実施形態では円形状をなしている。一方、この被覆板３６の略直上の部位には上述したように座受板３７が配されている。この被覆板３６も、本実施形態では円形状をなしている。これら被覆板３６及び座受板３７は、図示は省略するが、雄ねじ部材及び雌ねじを利用して連結されており、これら被覆板３６及び座受板３７によって座支持部３１を挟持している。前記前脚３２は、左右１対に設けられ、上述したように座支持部３１の前端から垂下している。前記後脚３３も、左右１対に設けられ、上述したように座支持部３１の後端から垂下している。前記脚ベース３４は、左右１対に設けられ、上述したように前脚３２の下端と後脚３３の下端とを滑らかに接続している。また、前記脚ベース３４の前端部及び後端部は、いずれも側面視円弧状をなし、前端又は後端、すなわち前脚３２又は後脚３３に向かって上方に伸びている。また、前記脚ベース３４のその他の部位すなわち中間部は、水平すなわち床面と平行に延伸している。ここで、左側の座支持部３１、左側の前脚３２、左側の脚ベース３４及び左側の後脚３３は金属パイプにより一体に形成している。また、右側の座支持部３１、右側前脚３２、右側の脚ベース３４及び右側の後脚３３も金属パイプにより一体に形成している。その上で、左右の座支持部３１の奥行き方向中央部同士を溶接して脚ベース３４、被覆板３６及び座受板３７を除く全体を一体に形成している。さらに、前記脚ベース３４の前端部には段押し部３４ａを設けていて、その内部に前記キャスタ取付軸７を収納した状態で前記キャスタ取付軸７を取り付けるようにしている。そして、前記脚ベース３４の前半部及び後半部の下面に、前記接地体３５を取り付けている。
【００２０】
前記背凭れ４は、前記図１〜図５に示すように、座２の後端の上方近傍に位置し、本実施形態では板状をなしている。そして、この背凭れ４は、前記背支持フレーム５に後方から支持されている。
【００２１】
前記背支持フレーム５は、前記図１〜図５に示すように、本実施形態では、基端部を脚構造体３の座支持部３１に溶接等の方法により固定しているとともに後方に延伸し左右に対をなす接続部５１と、前記接続部５１の後端からそれぞれ上方に起立し左右に対をなすとともに上端部の前方に前記背凭れ４を取り付けてなる背支持部５２とを備えている。本実施形態では、１本の金属パイプを屈曲させることにより、前記左側の接続部５１と前記左側の背支持部５２とを一体に形成している。同様に、１本の金属パイプを屈曲させることにより、右側の接続部５１と右側の背支持部５２とも一体に形成している。そして、左右の背支持フレーム５の上端間に、前記把手６を取り付けている。
【００２２】
前記把手６は、前記図１〜図５に示すように、上述したように左右の背支持フレーム５の上端間に取り付けられている。また、この把手６は、前記左右の背支持フレーム５の上端間を直線的に接続する前要素６１と、この前要素６１より後方に位置し平面視略円弧状をなして後方に膨出する後要素６２とを備えている。さらに、この把手６は、その内部、換言すれば前記前要素６１と前記後要素６２との間に、上下方向に貫通する把持孔６ａを有する。
【００２３】
前記キャスタ取付軸７は、図６に示すように、前記脚構造体３の前端よりも後方かつ前側の接地体３５よりも前方の部位、より具体的には前脚３２の後端よりも後方かつ前側の接地体３５よりも前方の部位から外方に突出させつつ、溶接等の方法により固定して設けている。さらに詳述すると、このキャスタ取付軸７は、前記脚構造体３内部に挿入される挿入部７１と、この挿入部７１の外方に設けられ前記挿入部７１よりも大径な固定部７２と、この固定部７２の外方に設けられ前記キャスタ８を枢支する軸本体７３とを備えており、前記固定部７２を脚ベース３４の段押し部３４ａの内部に収納した状態で溶接等の方法により固定している。そして、このキャスタ８支持軸の軸本体７３に前記キャスタ８を片持ち支持させている。
【００２４】
前記キャスタ８は、前記図１、図３〜図５及び図７に示すように、また、上述したように、キャスタ取付軸７に片持ち支持されており、該キャスタ取付軸７を回動中心としてその周りに回動可能である。さらに詳述すると、このキャスタ８は、前記キャスタ取付軸７の軸本体７３に枢支され設置床面上を転動可能な車輪８１と、この車輪８１の抜け止めを行うべく前記キャスタ取付軸７の軸本体７３の先端部に設けたくびれ部７３ａと係合した状態に取り付けられる抜け止め部材たるＥリング８２と、前記車輪８１の外側面の中心部に取り付けられ該車輪８１の外側面の中心部を被覆する被覆体たるキャップ８３とを備えている。また、このキャスタ８は、着座時には設置床面から離間している。すなわち、着座時には、このキャスタ８に優先して前記脚構造体３の脚ベース３４に取り付けられた接地体３５が接地するようにしている。ここで、キャスタ８のキャスタ取付軸７への取付態様としては、キャスタ８に雄ねじ部材を挿し通すことが可能なねじ挿通孔を設けるとともに、キャスタ取付軸７側に雌ねじを設け、前記ねじ挿通孔に雄ねじ部材を挿し通した状態でこの雄ねじ部材をキャスタ取付軸７側の雌ねじにねじ止めする態様も考えられる。
【００２５】
この椅子１は、把手６の把持孔６ａに手を通して把手６を把持し、次いで前記図２の想像線に示すようにこの椅子１の背凭れ４を前傾させることにより、脚構造体３の後端部を床面から離間させつつキャスタ８を設置床面に着地させることができる。すなわち、このような操作を加えることにより、キャスタ８を利用してこの椅子１を容易に移動させることができる。
【００２６】
また、この椅子１は、図４に示すように、この椅子１からキャスタ８を除いたものと同一の構造を有する他の椅子１Ｂにスタッキングした際に、該他の椅子１Ｂにキャスタ８が干渉しないよう構成している。なお、以下の説明において、他の椅子１Ｂの各部には、同一の名称、及び後尾にＢを追加した符号を付している。より具体的には、この椅子１を前記他の椅子１Ｂにスタッキングさせた際には、キャスタ８の全体が平面視した場合において他の椅子１Ｂの前記脚ベース３４Ｂより外側に位置している。
【００２７】
また、この椅子１は、図５に示すように、この椅子１と同一の構造を有する他の椅子１Ｃにスタッキングした際にも、該他の椅子１Ｃにキャスタ８が干渉しないよう構成している。なお、以下の説明において、他の椅子１Ｃの各部には、同一の名称、及び後尾にＣを追加した符号を付している。より具体的には、この椅子１を前記他の椅子１Ｃにスタッキングさせた際には、キャスタ８の全体が平面視した場合において他の椅子１Ｃの前記脚ベース３４Ｃより外側に位置しているとともに、この椅子１のキャスタ８の下端が前記他の椅子１Ｃのキャスタ８Ｃの上端に位置している。
【００２８】
以上に述べたように、本実施形態の椅子１の構成によれば、キャスタ取付軸７を脚構造体３に直接固定して取り付けているので、構造が極めて簡単なものとなり、また、脚構造体３とキャスタ８との間にはキャスタ取付軸７のみが介在していることとなるので、着座時に邪魔に感じられる不具合の発生を抑制できる。その上、キャスタ取付軸７を脚構造体３に直接固定して取り付けているので接合箇所が少なく、しかも着座時にはキャスタ８を床面から離間させているので、着座時にはキャスタ８及びキャスタ取付軸７は荷重を受けることもなく、使用時の強度を確保できる。
【００２９】
また、同一の構造を有する他の椅子１Ｃ、又は前記他の椅子１からキャスタ８を除いた構造を有する他の椅子１Ｂとスタッキングした際にキャスタ８が干渉しないようにしているので、このような椅子１を多数収納する際に要するスペースを低減することができる。
【００３０】
さらに、前記脚構造体３のキャスタ８よりも後方の部位に、着座時に優先して接地する接地体３５をキャスタ８と別体に設けているので、簡単な構成により、上述したように着座時にはキャスタ８を床面から離間させつつ、前方に椅子１を傾けることによりキャスタ８を利用して椅子１可能にすることができる。
【００３１】
加えて、背凭れ４の後方に把手６を設けているので、この把手６を把持して背凭れ４を前傾させる簡単な操作によりキャスタ８を着地させることができ、この椅子１を移動させる際の便を図ることができる。
【００３２】
その上、前記把手６が、前記背凭れ４を支持する背支持フレーム５の上端に設けられているので、このような把手６を上方から把持した際に邪魔となる構造物がなく、このような把手６をより自然に把持することができる。
【００３３】
また、前記把手６が、その内部に上下方向に貫通する把持孔６ａを有するので、この把持孔６ａの上方から手を通して把持する態様及びこの把持孔６ａ下方から手を通して把持する態様の双方をとることができ、従って、利用者の身長に関わらずこのような椅子１をキャスタ８を利用して容易に移動させることができる。
【００３４】
そして、前記脚構造体３の前記キャスタ取付軸７を取り付けるべき部位に、その内部に前記キャスタ取付軸７を収納可能な段押し部を設けているので、キャスタ８の脚構造体３への取付部位の見栄えを整えるとともに、キャスタ取付軸７の取付強度を確保できる。
【００３５】
なお、本発明は以上に述べた実施形態に限らない。
【００３６】
例えば、同一の構造を有する他の椅子、又は前記他の椅子からキャスタを除いた構造を有する他の椅子とスタッキングした際に干渉する構成の椅子であっても、キャスタ取付軸を脚構造体の前端よりも後方の部位に固定して設けているとともに、脚構造体の前端から前記キャスタ取付軸までの前後方向位置に対応する部位の下面を設置床面から上方に離間させている構成を有するものであれば、本発明の最も重要な効果、すなわち、キャスタの使用時における強度を確保しつつ構造の単純化を図ることができるという効果を得ることはできる。
【００３７】
また、上述した実施形態においては、着座時に優先して接地する接地体は、キャスタと別体に設けているが、これら接地体及びキャスタを一体に設ける態様を採用してもよい。
【００３８】
さらに、上述した実施形態では、背凭れの後方かつ背凭れを支持する背支持フレームの上端に把手を設けているが、背凭れを省略した椅子や、背凭れの後方に設けた把手を省略した椅子や、背凭れに前後方向に貫通する孔として把手を設けた椅子や、背凭れの上方等他の箇所に把手を設けた椅子に、本発明の構成を適用してもよい。
【００３９】
加えて、上述した実施形態では、把手が、その内部に上下方向に貫通する把持孔を有する構成を採用しているが、例えば、把手の内部に左右方向に貫通する把持孔を有する構成や、上方及び下方にそれぞれ開口し、手指を挿入可能な上把持凹部及び下把持凹部を把手に備える構成等を採用してもよい。
【００４０】
そして、上述した実施形態では、脚構造体のキャスタ取付軸を取り付けるべき部位に、その内部に前記キャスタ取付軸を収納可能な段押し部を設けているが、例えば、脚構造体にキャスタ取付軸を貫通させることが可能な孔を穿設し、この孔にキャスタ取付軸を貫通させた状態で該キャスタ取付軸と脚構造体とを溶接する等、他の取付態様を採用してももちろんよい。
【００４１】
その他、本発明の趣旨を損ねない範囲で種々に変形してよい。
【符号の説明】
【００４２】
１…椅子
２…座
３…脚構造体
７…キャスタ取付軸
８…キャスタ
【図１】
0005987332.tif 000002
【図２】
0005987332.tif 000003
【図３】
0005987332.tif 000004
【図４】
0005987332.tif 000005
【図５】
0005987332.tif 000006
【図６】
0005987332.tif 000007
【図７】
0005987332.tif 000008